(57)【要約】      （修正有）【課題】測定作業の簡便性の向上、測定作業時間の短縮化を図ることができる水分含有材の水分測定装置及び水分測定方法を提供するものである。【解決手段】水分測定装置１は、測定プローブ本体３から測定試料Ｍに挿入する電極体４及び温度センサー５を突設するとともに、反射測定法により、電極体４にパルス信号を印加して、電極体４からの反射波の遅れ時間、反射波の周波数、反射波の電圧の内のいずれか一つの情報及び、この測定プローブ２にて計測したいずれか一つの情報を基に測定試料Ｍの誘電率又はインピーダンスを求め、予め記憶保持した誘電率・水分値の関係、又は、インピーダンス・水分値の関係を示す検量線の情報とを基に測定試料Ｍの水分値を求め、測定試料Ｍの温度の情報と、予め記憶保持した水分値・温度補償情報とを基に前記水分値の温度補償を行った水分値も求める制御回路を備えた装置本体２１と、を有する。【選択図】図１
2012194027.tif 000002
【特許請求の範囲】
【請求項１】
測定プローブ本体から水分含有材からなる測定試料に挿入する電極体を突設するとともに、反射測定法により、電極体にパルス信号を印加して、測定試料に挿入した電極体からの反射波の遅れ時間、反射波の周波数、反射波の電圧の内のいずれか一つの情報を計測する測定回路を備えた測定プローブと、
この測定プローブから接続ケーブルを経て伝送される前記測定プローブにて計測した前記いずれか一つの情報を基に測定試料の誘電率又はインピーダンスを求め、求めた誘電率又はインピーダンスの情報と、予め記憶保持した誘電率・水分値の関係又はインピーダンス・水分値の関係を示す検量線の情報とを基に前記測定試料の水分値を求める制御回路を備えた装置本体と、
を有することを特徴とする水分含有材の水分測定装置。
【請求項２】
測定プローブ本体から水分含有材からなる測定試料に挿入する電極体及び温度センサーを突設するとともに、反射測定法により、電極体にパルス信号を印加して、測定試料に挿入した電極体からの反射波の遅れ時間、反射波の周波数、反射波の電圧の内のいずれか一つの情報及び測定試料の温度を計測する測定回路を備えた測定プローブと、
この測定プローブから接続ケーブルを経て伝送される前記測定プローブにて計測した前記いずれか一つの情報を基に測定試料の誘電率又はインピーダンスを求め、求めた誘電率又はインピーダンスの情報と、予め記憶保持した誘電率・水分値の関係又はインピーダンス・水分値の関係を示す検量線の情報とを基に前記測定試料の水分値を求め、前記測定プローブから接続ケーブルを経て伝送される測定試料の温度の情報と、予め記憶保持した水分値・温度補償情報とを基に前記水分値の温度補償を行った水分値も求める制御回路を備えた装置本体と、
を有することを特徴とする水分含有材の水分測定装置。
【請求項３】
測定プローブ本体から生コンクリート・モルタル、砂から選定されるいずれか一つの水分含有材である測定試料に挿入する電極体及び温度センサーを突設するとともに、反射測定法により、電極体にパルス信号を印加するパルス印加回路と、測定試料に挿入した電極体からの反射波の遅れ時間を計測する時間領域検出回路、測定試料に挿入した電極体からの反射波の周波数を計測する周波数領域検出回路、測定試料に挿入した電極体からの反射波の電圧を計測する振幅領域検出回路の内のいずれか一つと、温度センサーが検出する測定試料の温度を計測する温度測定回路と、を有する測定回路を備えた測定プローブと、
前記測定プローブに接続ケーブルにより接続されるとともに、誘電率・水分値の関係又はインピーダンス・水分値の関係を示す検量線の情報を予め記憶した検量線情報記憶部と、水分値の温度補償を行うための水分値・温度補償情報を予め記憶した水分値・温度補償情報記憶部と、前記測定プローブから接続ケーブルを経て伝送される前記測定プローブをもって計測した前記反射波の遅れ時間、反射波の周波数、反射波の電圧の内のいずれか一つの情報を基に測定試料の誘電率又はインピーダンスを求め、求めた誘電率又はインピーダンスの情報と、前記検量線の情報とを基に前記測定試料の水分値を求めて、前記測定プローブから接続ケーブルを経て伝送される測定試料の温度の情報と、前記水分値・温度補償情報予め記憶保持した水分値・温度補償情報を基に前記水分値の温度補償を行った水分値も求める水分値判定部と、求めた水分値を表示する表示部とを備えた装置本体と、
を有することを特徴とする水分含有材の水分測定装置。
【請求項４】
測定プローブから突設した電極体を測定試料に挿入する工程と、
測定プローブに設けた測定回路を使用し、反射測定法により、電極体にパルス信号を印加して、測定試料に挿入した電極体からの反射波の遅れ時間、反射波の周波数、反射波の電圧の内のいずれか一つの情報を計測する工程と
前記測定プローブに接続した装置本体の制御回路にて、前記測定プローブにて計測した前記いずれか一つの情報を基に測定試料の誘電率又はインピーダンスを求め、求めた誘電率又はインピーダンスの情報と、予め記憶保持した誘電率・水分値の関係又はインピーダンス・水分値の関係を示す検量線の情報とを基に前記測定試料の水分値を求める工程と、
を含むことを特徴とする水分含有材の水分測定方法。
【請求項５】
測定プローブから突設した電極体及び温度センサーを測定試料に挿入する工程と、
測定プローブに設けた測定回路を使用し、反射測定法により、電極体にパルス信号を印加して、測定試料に挿入した電極体からの反射波の遅れ時間、反射波の周波数、反射波の電圧の内のいずれか一つの情報を計測するとともに、測定試料の温度を計測する工程と、
前記測定プローブに接続した装置本体の制御回路にて、前記測定プローブにて計測した前記いずれか一つの情報を基に測定試料の誘電率又はインピーダンスを求め、求めた誘電率又はインピーダンスの情報と、予め記憶保持した誘電率・水分値の関係又はインピーダンス・水分値の関係を示す検量線の情報とを基に前記測定試料の水分値を求め、前記測定試料の温度の情報と、予め記憶保持した水分値・温度補償情報を基に前記水分値の温度補償を行った水分値も求める工程と、
を含むことを特徴とする水分含有材の水分測定方法。
【請求項６】
測定プローブから突設した電極体及び温度センサーを生コンクリート・モルタル、砂から選定されるいずれか一つの水分含有材である測定試料に挿入する工程と、
測定プローブに設けた測定回路を使用し、反射測定法により、電極体にパルス信号を印加して、測定試料に挿入した電極体からの反射波の遅れ時間、反射波の周波数、反射波の電圧のいずれか一つと、温度センサーが検出する測定試料の温度を計測する工程と、
前記測定プローブに接続した装置本体の制御回路にて、前記測定プローブから接続ケーブルを経て伝送される前記測定プローブにて計測した前記反射波の遅れ時間、反射波の周波数、反射波の電圧の内のいずれか一つの情報を基に測定試料の誘電率又はインピーダンスを求め、求めた誘電率又はインピーダンスの情報と、予め記憶保持した誘電率・水分値の関係又はインピーダンス・水分値の関係を示す検量線の情報とを基に前記測定試料の水分値を求め、前記測定プローブから接続ケーブルを経て伝送される測定試料の温度の情報と、予め記憶保持した水分値・温度補償情報を基に前記水分値の温度補償を行った水分値も求める工程と、
求めた前記水分値を表示部に表示する工程と、
を含むことを特徴とする水分含有材の水分測定方法。
【発明の詳細な説明】
【技術分野】
【０００１】
本発明は、水分含有材の水分測定装置に関し、詳しくは、土木、建築に用いられる生コンクリート・モルタル、砂等のような水分含有材の水分の測定・管理を的確に実行し得る水分含有材の水分測定装置及び該水分測定装置を使用した水分測定方法に関するものである。
【背景技術】
【０００２】
従来、土木、建築に用いられる生コンクリート・モルタル、砂等のような水分を測定する水分測定装置として種々のものが提案されている。
【０００３】
例えば、被測定物を加熱乾操（ランプ、ヒーター、高周波加熱を使用）することにより、その重量変化から水分をもとめるものがあるが、この場合には、測定に時間がかかりすぎる。
【０００４】
また、被測定物に対して放射線（ラジオアイソトープ）を照射・透過させて、その減衰により水分をもとめるものがあるが、この場合には、装置が大型で、高価格になってしまう。
【０００５】
更に、被測定物にマイクロ波を照射・透過させ、その減衰により水分をもとめるものもあるが、この場合には、砂以外は測定できず、生コンクリートやモルタル等を測定しようとすると、減衰が大きすぎて必要な感度が得られないという問題がある。
【０００６】
本願出願人は、先に特許文献１（特開２００１−８３１１５号公報）に開示されているように生コンクリート、モルタル、砂等の水分測定装置を提案している。
【０００７】
本願出願人に係る上記特許文献１の水分測定装置は、試料ケースに一定体積の生コンクリートのような測定試料を充填する構成であるが、測定試料の試料ケースへの充填作業の点等で改良の余地を見出した。
【０００８】
すなわち、測定試料の体積が一定でない場合、大きな測定誤差が発生するおそれがあり、他方、丁寧な充填作業は、測定作業時間を伸長させることになる。
【０００９】
生コンクリート、モルタルのような水分含有材は、その製造後出来るだけ短時間に打設完了することが望ましいが、測定作業時間の伸長は、製造した生コンクリート、モルタルの使用有効時間を圧迫することになる。
【００１０】
また、試料ケースに測定試料を充填する作業中や測定中は、測定試料が試料ケース中で傾かないようにするために、水平な作業環境が必要である。測定試料が試料ケース中で傾いていると、測定誤差が発生することは明確である。
【００１１】
更に、上記水分測定装置は、測定試料と接触する電極間の静電容量を測定することにより、水分の予測をする構成としている。
したがって、測定試料が不均一な場合、試料代表性がインピーダンスの低い導電経路に偏り、大きな代表性誤差を発生する。
【００１２】
実際に測定試料として生コンクリート（不定形で大型の骨材が混入されており、測定試料としては不均一）を測定する場合、そのままの測定では大きな測定誤差が発生するために、ウエットスクリーニング処理（骨材を取り除くため、一定のメッシュの篩で測定試料を濾す処理）を施した測定試料の水分を測定し、細骨材、骨材の混合比、それぞれの比重、給水率等の既知のデータを用いて、測定した水分値を補正する作業が必要となる。
【００１３】
更に、上記水分測定装置の場合、測定試料の温度測定が困難な構造のため、測定試料のインピーダンスの温度特性が大きく変化する場合、測定誤差を生じ易い。
【先行技術文献】
【特許文献】
【００１４】
【特許文献１】特開２００１−８３１１５号公報
【発明の概要】
【発明が解決しようとする課題】
【００１５】
本発明は、上記背景技術を踏まえて、試料ケースや、水平な作業環境が不要であり、また測定試料の不均一性があってもウエットスクリーニング処理が不要であり、更には測定した水分値の精度向上をも図ることができるような水分含有材の水分測定装置、測定方法が存在しない点を解決しようとするものである。
【課題を解決するための手段】
【００１６】
本発明に係る水分含有材の水分測定装置は、測定プローブ本体から水分含有材からなる測定試料に挿入する電極体を突設するとともに、反射測定法により、電極体にパルス信号を印加して、測定試料に挿入した電極体からの反射波の遅れ時間、反射波の周波数、反射波の電圧の内のいずれか一つの情報を計測する測定回路を備えた測定プローブと、この測定プローブから接続ケーブルを経て伝送される前記測定プローブにて計測した前記いずれか一つの情報を基に測定試料の誘電率又はインピーダンスを求め、求めた誘電率又はインピーダンスの情報と、予め記憶保持した誘電率・水分値の関係又はインピーダンス・水分値の関係を示す検量線の情報とを基に前記測定試料の水分値を求める制御回路を備えた装置本体と、を有することを最も主要な特徴とする。
【発明の効果】
【００１７】
請求項１記載の発明によれば、測定プローブ本体から突設した電極体を水分含有材である測定試料に挿入し、測定回路により、反射測定法によって、電極体にパルス信号を印加して、測定試料に挿入した電極体からの反射波の遅れ時間、反射波の周波数、反射波の電圧の内のいずれか一つの情報を計測し、装置本体の制御回路により、前記測定プローブにて計測した前記いずれか一つの情報を基に測定試料の誘電率又はインピーダンスを求め、求めた誘電率又はインピーダンスの情報と、予め記憶保持した誘電率・水分値の関係を又はインピーダンス・水分値の関係示す検量線の情報とを基に前記測定試料の水分値を求めるように構成しているので、試料ケースや、水平な作業環境が不要であとともに、測定試料の不均一性があってもウエットスクリーニング処理が不要で、簡略、かつ、的確に水分含有材である測定試料の水分値を求めることができ、測定作業の簡便性の向上、測定作業時間の短縮化を図ることができる水分含有材の新規な水分測定装置を実現し提供できる。
【００１８】
請求項２記載の発明によれば、前記請求項１記載の発明と同様な効果を奏するとともに、測定プローブ本体から電極体に加えて温度センサーを突設した構成を採用し、測定回路により測定試料の温度をも計測し、装置本体の制御回路により求めた測定試料の水分値の標準温度への温度補償をも行うようにしているので、測定した水分値の精度向上をも図ることができる水分含有材の新規な水分測定装置を実現し提供できる。
【００１９】
請求項３記載の発明によれば、測定プローブ本体から生コンクリート・モルタル、砂から選定されるいずれか一つの水分含有材である測定試料に挿入する電極体及び温度センサーを突設するとともに、反射測定法により、電極体にパルス信号を印加するパルス印加回路と、測定試料に挿入した電極体からの反射波の遅れ時間を計測する時間領域検出回路、測定試料に挿入した電極体からの反射波の周波数を計測する周波数領域検出回路、測定試料に挿入した電極体からの反射波の電圧を計測する振幅領域検出回路の内のいずれか一つと、温度センサーが検出する測定試料の温度を計測する温度測定回路と、を有する測定回路を備えた測定プローブと、前記測定プローブに接続ケーブルにより接続されるとともに、誘電率・水分値の関係又はインピーダンス・水分値の関係を示す検量線の情報を予め記憶した検量線情報記憶部と、水分値の温度補償を行うための水分値・温度補償情報を予め記憶した水分値・温度補償情報記憶部と、前記測定プローブから接続ケーブルを経て伝送される前記測定プローブをもって計測した前記反射波の遅れ時間、反射波の周波数、反射波の電圧の内のいずれか一つの情報を基に測定試料の誘電率又はインピーダンスを求め、求めた誘電率又はインピーダンスの情報と、前記検量線の情報とを基に前記測定試料の水分値を求めて、前記測定プローブから接続ケーブルを経て伝送される測定試料の温度の情報と、前記水分値・温度補償情報予め記憶保持した水分値・温度補償情報を基に前記水分値の温度補償を行った水分値も求める水分値判定部と、求めた水分値を表示する表示部とを備えた装置本体と、を有する構成の基に請求項２記載の発明と同様な効果を奏する水分含有材の水分測定装置を実現し提供できる。
【００２０】
請求項４記載の発明によれば、前記請求項１記載の発明に係る構成の水分測定装置を使用して、試料ケースや、水平な作業環境が不要であり、また測定試料の不均一性があってもウエットスクリーニング処理が不要で、簡略、かつ、的確に水分含有材である測定試料の水分値を求めることができ、測定作業の簡便性の向上、測定作業時間の短縮化を図ることができる水分含有材の水分測定方法を実現し提供できる。
【００２１】
請求項５記載の発明によれば、前記請求項２記載の発明に係る構成の水分測定装置を使用して、前記請求項４記載の発明と同様な効果を奏するとともに、測定した水分値の精度向上をも図ることができる水分含有材の水分測定方法を実現し提供できる。
【００２２】
請求項６記載の発明によれば、前記請求項３記載の発明に係る構成の水分測定装置を使用して、前記請求項５記載の発明と同様な効果を奏する水分含有材の水分測定方法を実現し提供できる。
【図面の簡単な説明】
【００２３】
【図１】図１は本発明の実施例に係る水分含有材の水分測定装置の全体構成を示す概略斜視図である。
【図２】図２は本実施例に係る水分含有材の水分測定装置における測定プローブの概略正面図である。
【図３】図３は本実施例に係る水分含有材の水分測定装置における測定プローブの概略側面図である。
【図４】図４は本実施例に係る水分含有材の水分測定装置における測定プローブの概略底面図である。
【図５】図５は本実施例に係る水分含有材の水分測定装置の概略ブロック図である。
【発明を実施するための形態】
【００２４】
本発明は、試料ケースや、水平な作業環境が不要であり、また測定試料の不均一性があってもウエットスクリーニング処理が不要であり、更には測定した水分値の精度向上をも図ることができるような水分含有材の水分測定装置を実現し提供するという目的を、測定プローブ本体から生コンクリート・モルタル、砂から選定されるいずれか一つの水分含有材である測定試料に挿入する電極体及び温度センサーを突設するとともに、反射測定法により、電極体にパルス信号を印加するパルス印加回路と、測定試料に挿入した電極体からの反射波の遅れ時間を計測する時間領域検出回路、測定試料に挿入した電極体からの反射波の周波数を計測する周波数領域検出回路、測定試料に挿入した電極体からの反射波の電圧を計測する振幅領域検出回路の内のいずれか一つと、温度センサーが検出する測定試料の温度を計測する温度測定回路と、を有する測定回路を備えた測定プローブと、前記測定プローブに接続ケーブルにより接続されるとともに、誘電率・水分値の関係又はインピーダンス・水分値の関係を示す検量線の情報を予め記憶した検量線情報記憶部と、水分値の温度補償を行うための水分値・温度補償情報を予め記憶した水分値・温度補償情報記憶部と、前記測定プローブから接続ケーブルを経て伝送される前記測定プローブをもって計測した前記反射波の遅れ時間、反射波の周波数、反射波の電圧の内のいずれか一つの情報を基に測定試料の誘電率又はインピーダンスを求め、求めた誘電率又はインピーダンスの情報と、前記検量線の情報とを基に前記測定試料の水分値を求めて、前記測定プローブから接続ケーブルを経て伝送される測定試料の温度の情報と、前記水分値・温度補償情報予め記憶保持した水分値・温度補償情報を基に前記水分値の温度補償を行った水分値も求める水分値判定部と、求めた水分値を表示する表示部とを備えた装置本体と、を有する構成により実現した。
【実施例】
【００２５】
以下、本発明の実施例に係る生コンクリート、モルタル、砂等のような水分含有材の水分測定装置（以下「水分測定装置」という）について詳細に説明する。
【００２６】
本実施例に係る水分測定装置１は、図１に示すように、測定プローブ２と、装置本体２１と、前記測定プローブ２と装置本体２１間を接続する接続ケーブル３１と、を有している。
前記測定プローブ２と装置本体２１は、プローブ側コネクタ３ａ、接続ケーブル３１及び装置本体側コネクタ２１ａを用いて接続されるように構成している。
【００２７】
前記測定プローブ２は、図２乃至図４に示すように、例えば円柱状の測定プローブ本体３と、この測定プローブ本体３の側壁から外方に一定の間隔をもって突設した例えば２本（又は２本以上）の針状又は棒状の導電性金属からなる電極体４と、前記測定プローブ本体３の側壁から前記電極体４と間隔をもって外方に突設した棒状又は針状の温度センサー５と、前記測定プローブ本体３の内部（又は外部）に搭載した測定回路１１と、を有している。
【００２８】
前記装置本体２１は、図１に示すように、例えば、略直方体状に構成されて、その表面に、液晶等により形成した表示部２２、及び文字、数字等の情報を入力するための複数のキーを備えた操作部２３を設け、また、前記装置本体２１の裏側には電池蓋３２を配置して、この電池蓋３２の内部に所要の電力供給を行うための電池を収納するように構成しているとともに、装置本体２１の内部に図５に示す制御回路２４を搭載している。
【００２９】
なお、本実施例に係る水分測定装置１において、図１、図２及び図４には、電極体４を３本突設した例を示し、図５には電極体４を２本突設した例を示している。
【００３０】
前記測定プローブ２を構成する測定回路１１は、図５に示すように、測定プローブ２自体の動作制御、装置本体２１の制御回路２４との信号伝送を行う測定制御回路１２と、測定制御回路１２の制御の基に例えば生コンクリート、モルタル、砂等のような水分含有材である測定試料Ｍ中に挿入する電極体４に所定周波数の電気信号、例えばパルス信号を印加するパルス印加回路１３と、測定制御回路１２の制御の基に反射波を受信し反射波到達時間（パルス信号印加から反射波が到達するまでの時間）を計測する（本発明の場合、反射波の遅れ時間より測定試料の誘電率を求める）ＴＤＲ（Ｔｉｍｅ  Ｄｏｍａｉｎ  Ｒｅｆｌｅｃｔｒｏｍｅｔｒｙ）回路、又は測定制御回路１２の制御の基に反射波を受信し反射波の周波数を計測する、換言すると、反射波の周波数より測定試料のインピーダンスを求めるＦＤＲ（Ｆｒｅｑｅｎｃｙ  Ｄｏｍａｉｎ  Ｒｅｆｌｅｃｔｒｏｍｅｔｒｙ）回路、或いは測定制御回路１２の制御の基に反射波を受信し反射波を振幅領域で解析し反射波の振幅を計測する、換言すると、反射波の電圧より測定試料のインピーダンスを求めるＡＤＲ（Ａｍｐｌｉｔｕｄｅ  Ｄｏｍａｉｎ  Ｒｅｆｌｅｃｔｒｏｍｅｔｒｙ）回路１４と、前記温度センサー５の検出信号を基に測定試料Ｍの温度を測定する温度測定回路１５と、を有している。
【００３１】
すなわち、前記測定プローブ２は、反射測定法により電極体４に印加したパルスの反射波形を観測・解析する方法である。
【００３２】
ここで、前記ＴＤＲ回路（時間領域検出回路）１４は、前記電極体４を伝送線路とみなし、反射波を時間領域で解析し、パルス信号を印加してから反射波が到達するまでの反射波到達時間（遅れ時間）を計測する回路であり、例えば、伝送線路の周りの空間の比誘電率（誘電率）の算出のために用いるものである。
【００３３】
また、ＦＤＲ回路（周波数領域検出回路）とは、反射波を周波数領域で解析し、その周波数を計測する回路であり、電極体４間のインピーダンスの算出のために用いるものである。
更に、ＡＤＲ回路（振幅領域検出回路）は、反射波を振幅領域で解析し、その電圧値を計測する回路であり、電極体４間のインピーダンスの算出のために用いるものである。
【００３４】
前記装置本体２１を構成する制御回路２４は、図５に示すように、前記接続ケーブル３１を介して測定制御回路１２に接続されるとともに、前記表示部２２、操作部２３にも接続され、水分測定装置全体の制御を行う制御部２５と、水分測定装置１の動作プログラムを記憶した動作プログラム記憶部２６と、比誘電率から水分を予測するための検量線の情報又はインピーダンスから水分を予測するための検量線の情報を記憶した検量線情報記憶部２７と、水分値の測定温度による誤差を補償するための予め求めてある水分値・温度補償情報を記憶した水分値・温度補償情報記憶部２８と、水分値判定部２９と、水分値情報、温度等を記憶する記憶部３０とを有している。
【００３５】
前記水分値判定部２９は、前記測定制御回路１２から伝送される前記ＴＤＲ回路１４による反射波到達時間の情報を基に、公知の演算式を用いて測定試料Ｍの比誘電率を算出し、前記比誘電率から水分値を予測するための検量線の情報との比較により測定試料Ｍの水分値を予測し、又は、前記測定制御回路１２から伝送されるＦＤＲ回路、若しくはＡＤＲ回路による反射波の周波数、又は電圧の情報を基に、公知の演算式を用いて測定試料Ｍのインピーダンスを算出し、インピーダンスから水分値を予測するための検量線の情報との比較により、測定試料Ｍの水分値を予測するように構成している。
【００３６】
更に、前記制御部２５は、前記測定制御回路１２から伝送される前記温度センサー５による測定試料Ｍの温度の情報と、前記水分値・温度補償情報記憶部２８に記憶した水分値・温度補償情報とを基に、算出した水分値を標準温度（例えば２０℃）の水分値に置換する水分値の温度補償を行うように構成している。
【００３７】
そして、前記水分値判定部２９により予測した測定試料Ｍの水分値、温度補償した水分値は制御部２５の制御の基に前記記憶部３０に記憶するとともに、例えば測定者による操作部２３のキー操作により測定試料Ｍの水分値、温度補償した水分値を前記表示部２２に表示するように構成している。
【００３８】
次に、上記構成からなる本実施例に係る水分測定装置１の動作及びこの水分測定装置１を使用した水分測定方法について説明する。
【００３９】
本実施例に係る水分測定装置１により、生コンクリート、モルタル、砂等のような測定試料Ｍを測定する場合には、前記測定プローブ２と装置本体２１とを、接続ケーブル３１により接続と、この水分測定装置１を動作可能状態とする。
【００４０】
次に、測定プローブ２から突設した電極体４及び温度センサー５を、建築現場に使用しようとする生コンクリート・モルタル、砂から選定されるいずれか一つの水分含有材である測定試料Ｍに挿入する。
【００４１】
測定プローブ２に設けた測定回路１１を使用し、反射測定法により、電極体４にパルス信号を印加して、測定試料Ｍに挿入した電極体４からの反射波の遅れ時間、反射波の周波数、反射波の電圧のいずれか一つと、温度センサー５が検出する測定試料Ｍの温度を計測する。
【００４２】
この場合、ＴＤＲ回路１４を使用する構成の場合には、測定制御回路１２の制御の基に反射波を受信し反射波到達時間（パルス信号印加から反射波が到達するまでの時間）を計測する。
【００４３】
また、ＦＤＲ回路を使用する構成の場合には、反射波を周波数領域で解析し、その周波数を計測し、ＡＤＲ回路を使用する構成の場合には、反射波の振幅を計測する。
前記温度測定回路１５は、温度センサー５の検出信号を基に測定試料Ｍの温度を測定する。
【００４４】
次に、接続ケーブル３１を介して測定プローブ２に接続した装置本体２１の制御回路２４にて、測定試料Ｍの水分値、及び温度補償した水分値を求める。
【００４５】
すなわち、前記装置本体２１における制御回路２４の水分値判定部２９は、制御部２５の制御の基に、前記測定プローブ２から接続ケーブル３１を経て伝送される前記反射波の遅れ時間、反射波の周波数、反射波の電圧の内のいずれか一つの情報を基に、測定試料Ｍの比誘電率又はインピーダンスを求めて、当該求めた比誘電率又はインピーダンスの情報と、予め検量線情報記憶部２７に記憶保持した対応する検量線の情報とを基に前記測定試料Ｍの水分値を求める（予測する）。
【００４６】
また、水分値判定部２９は、制御部２５の制御の基に、前記測定プローブ２から接続ケーブル３１を経て伝送される測定試料Ｍの温度の情報と、予め水分値・温度補償情報記憶部２８に記憶保持した水分値・温度補償情報とを基に前記水分値の温度補償を行った水分値も求める（予測する）。
【００４７】
このようにして求めた水分値、温度補償を行った水分値（標準温度（例えば２０℃）の水分値に置換した水分値）は、前記制御部２５の制御の基に、記憶部３０に記憶され、更に、前記制御部２５の制御の基に、又は、測定者による操作部２３のキー操作により前記表示部２２に表示される。
【００４８】
以上説明したように、本実施例に係る新規な水分測定装置１及びこの水分測定装置１を使用した水分測定方法によれば、以下に述べるような優れた諸効果を発揮する。
【００４９】
すなわち、測定プローブ２から突設した電極体４及び温度センサー５を、水分含有材である測定試料Ｍの上面から内部に直接挿入して当該測定試料Ｍの水分値を測定することができるので、前記従来例のような試料ケースを用いずに、また、水平な作業環境を必要とせず、更には、測定作業の簡便性の向上、測定作業時間の短縮化の実現という効果を発揮できる。
【００５０】
測定作業時間の短縮は、生コンクリート、モルタル製造後から打設完了までの時間の短縮ともなり、製造する建造物等の強度的な品質向上への寄与という効果も発揮できる。また、測定終了後の電極体４や温度センサー５の洗浄も簡略、かつ、迅速に行うことができる。
【００５１】
更に、測定試料Ｍの比誘電率又はインピーダンスを測定するための電極体４を、測定プローブ２に配置した針状又は棒状の電極とし、測定プローブ２を手持ち作業が可能な構成としたので、さまざまな場所での測定が可能になる効果が発揮できる。
【００５２】
次に、本実施例に係る水分測定装置１及びこの水分測定装置１を使用した水分測定方法において、測定プローブ２を、ＴＤＲ回路１４を使用した構成とした場合には、前記従来例で述べた静電容量の測定とは異なり、測定試料Ｍの平均的な比誘電率の測定が可能であり、ウエットスクリーニング処理を要することなく生コンクリート等の測定試料Ｍの水分測定が可能となり、従来例で述べた測定した水分値の煩雑な補正作業が不要になるという優れた効果を発揮させることができる。
【００５３】
更に、本実施例に係る水分測定装置１及びこの水分測定装置１を使用した水分測定方法において測定プローブ２に針状又は棒状の温度センサー５を設けているので、測定試料Ｍの温度測定を簡単に実行でき、測定した水分値の温度補償が可能となって、測定精度向上を図ることができる。
【００５４】
この他、本実施例に係る水分測定装置１によれば、前記測定プローブ２を採用しているので、例えば空気量測定装置等、他の測定機器・作業機器との一体化が可能となり、その場合、更に、一連の作業時間の短縮の効果が発揮できる。
【００５５】
また、測定プローブ２を採用したので、電極体（電極）部分の構造上の設計変更の自由度が広がる効果が発揮できる。例えば、２本の電極体４を樹脂で板状に一体化させ、電極の強度を向上させる例を挙げることができる。
【００５６】
なお、本実施例に係る水分測定装置１において、測定プローブ２を装置本体２１と一体化し、装置本体２１の側壁から電極体４、温度センサー５を突設するという変形した構成とすることも可能である。
【産業上の利用可能性】
【００５７】
本発明の水分測定装置及び該水分測定装置を使用した水分測定方法は、土木、建築に用いられる生コンクリート・モルタル、砂等の水分測定に利用する場合の他、農地、干拓地等の土壌水分の測定等々の各種分野に広範に適用可能である。
【符号の説明】
【００５８】
１    水分測定装置
２    測定プローブ
３    測定プローブ本体
３ａ  プローブ側コネクタ
４    電極体
５    温度センサー
１１    測定回路
１２    測定制御回路
１３    パルス印加回路
１４    ＴＤＲ回路
１５    温度測定回路
２１    装置本体
２１ａ  装置本体側コネクタ
２２    表示部
２３    操作部
２４    制御回路
２５    制御部
２６    動作プログラム記憶部
２７    検量線情報記憶部
２８    水分値・温度補償情報記憶部
２９    水分値判定部
３０    記憶部
３１    接続ケーブル
３２    電池蓋
Ｍ    測定試料
【図１】
2012194027.tif 000003
【図２】
2012194027.tif 000004
【図３】
2012194027.tif 000005
【図４】
2012194027.tif 000006
【図５】
2012194027.tif 000007
【手続補正書】
【提出日】平成23年7月25日(2011.7.25)
【手続補正１】
【補正対象書類名】明細書
【補正対象項目名】００１９
【補正方法】変更
【補正の内容】
【００１９】
請求項３記載の発明によれば、測定プローブ本体から生コンクリート・モルタル、砂から選定されるいずれか一つの水分含有材である測定試料に挿入する電極体及び温度センサーを突設するとともに、反射測定法により、電極体にパルス信号を印加するパルス印加回路と、測定試料に挿入した電極体からの反射波の遅れ時間を計測する時間領域検出回路、測定試料に挿入した電極体からの反射波の周波数を計測する周波数領域検出回路、測定試料に挿入した電極体からの反射波の電圧を計測する振幅領域検出回路の内のいずれか一つと、温度センサーが検出する測定試料の温度を計測する温度測定回路と、を有する測定回路を備えた測定プローブと、前記測定プローブに接続ケーブルにより接続されるとともに、誘電率・水分値の関係又はインピーダンス・水分値の関係を示す検量線の情報を予め記憶した検量線情報記憶部と、水分値の温度補償を行うための水分値・温度補償情報を予め記憶した水分値・温度補償情報記憶部と、前記測定プローブから接続ケーブルを経て伝送される前記測定プローブをもって計測した前記反射波の遅れ時間、反射波の周波数、反射波の電圧の内のいずれか一つの情報を基に測定試料の誘電率又はインピーダンスを求め、求めた誘電率又はインピーダンスの情報と、前記検量線の情報とを基に前記測定試料の水分値を求めて、前記測定プローブから接続ケーブルを経て伝送される測定試料の温度の情報と、予め記憶保持した水分値・温度補償情報を基に前記水分値の温度補償を行った水分値も求める水分値判定部と、求めた水分値を表示する表示部とを備えた装置本体と、を有する構成の基に請求項２記載の発明と同様な効果を奏する水分含有材の水分測定装置を実現し提供できる。
【手続補正２】
【補正対象書類名】明細書
【補正対象項目名】００２４
【補正方法】変更
【補正の内容】
【００２４】
本発明は、試料ケースや、水平な作業環境が不要であり、また測定試料の不均一性があってもウエットスクリーニング処理が不要であり、更には測定した水分値の精度向上をも図ることができるような水分含有材の水分測定装置を実現し提供するという目的を、測定プローブ本体から生コンクリート・モルタル、砂から選定されるいずれか一つの水分含有材である測定試料に挿入する電極体及び温度センサーを突設するとともに、反射測定法により、電極体にパルス信号を印加するパルス印加回路と、測定試料に挿入した電極体からの反射波の遅れ時間を計測する時間領域検出回路、測定試料に挿入した電極体からの反射波の周波数を計測する周波数領域検出回路、測定試料に挿入した電極体からの反射波の電圧を計測する振幅領域検出回路の内のいずれか一つと、温度センサーが検出する測定試料の温度を計測する温度測定回路と、を有する測定回路を備えた測定プローブと、前記測定プローブに接続ケーブルにより接続されるとともに、誘電率・水分値の関係又はインピーダンス・水分値の関係を示す検量線の情報を予め記憶した検量線情報記憶部と、水分値の温度補償を行うための水分値・温度補償情報を予め記憶した水分値・温度補償情報記憶部と、前記測定プローブから接続ケーブルを経て伝送される前記測定プローブをもって計測した前記反射波の遅れ時間、反射波の周波数、反射波の電圧の内のいずれか一つの情報を基に測定試料の誘電率又はインピーダンスを求め、求めた誘電率又はインピーダンスの情報と、前記検量線の情報とを基に前記測定試料の水分値を求めて、前記測定プローブから接続ケーブルを経て伝送される測定試料の温度の情報と、予め記憶保持した水分値・温度補償情報を基に前記水分値の温度補償を行った水分値も求める水分値判定部と、求めた水分値を表示する表示部とを備えた装置本体と、を有する構成により実現した。
【手続補正３】
【補正対象書類名】特許請求の範囲
【補正対象項目名】請求項３
【補正方法】変更
【補正の内容】
【請求項３】
測定プローブ本体から生コンクリート・モルタル、砂から選定されるいずれか一つの水分含有材である測定試料に挿入する電極体及び温度センサーを突設するとともに、反射測定法により、電極体にパルス信号を印加するパルス印加回路と、測定試料に挿入した電極体からの反射波の遅れ時間を計測する時間領域検出回路、測定試料に挿入した電極体からの反射波の周波数を計測する周波数領域検出回路、測定試料に挿入した電極体からの反射波の電圧を計測する振幅領域検出回路の内のいずれか一つと、温度センサーが検出する測定試料の温度を計測する温度測定回路と、を有する測定回路を備えた測定プローブと、
前記測定プローブに接続ケーブルにより接続されるとともに、誘電率・水分値の関係又はインピーダンス・水分値の関係を示す検量線の情報を予め記憶した検量線情報記憶部と、水分値の温度補償を行うための水分値・温度補償情報を予め記憶した水分値・温度補償情報記憶部と、前記測定プローブから接続ケーブルを経て伝送される前記測定プローブをもって計測した前記反射波の遅れ時間、反射波の周波数、反射波の電圧の内のいずれか一つの情報を基に測定試料の誘電率又はインピーダンスを求め、求めた誘電率又はインピーダンスの情報と、前記検量線の情報とを基に前記測定試料の水分値を求めて、前記測定プローブから接続ケーブルを経て伝送される測定試料の温度の情報と、予め記憶保持した水分値・温度補償情報を基に前記水分値の温度補償を行った水分値も求める水分値判定部と、求めた水分値を表示する表示部とを備えた装置本体と、
を有することを特徴とする水分含有材の水分測定装置。